Podtech/llm-jp-corpus-v4-ja_patent huggingface dataset:
(57)【要約】【課題】  簡単な内部構造によって、撹拌流れの影響を抑えた流出路を確保し、撹拌効果を高める撹拌装置とすることを課題とする。【解決手段】  流出口の設置高さを決めることにより流入量に見合った流出量となり槽内の液面が一定に保たれ、かつ流路板が撹拌機による液体の円運動を阻害して槽内液体の混合を促進することで、課題を実現させるものである。またこれに加えて、撹拌機の取付けを偏芯させることにより撹拌能力を更に高めるものである。【選択図】    図１
2006255623.tif 000002
【特許請求の範囲】
【請求項１】
撹拌槽、撹拌槽内の撹拌流れから隔離して液体の流入分を排出するための流路板、流路板により撹拌流れから隔離された流出路及び流出口、撹拌槽内の液体を流動させる撹拌機、撹拌機による液体の円運動に抵抗させて液体の混合を促進させる固定板からなり、流出口の設置高さを決めることにより流入量に見合った流出量となり槽内の液面が一定に保たれ、かつ流路板が撹拌機による液体の円運動を阻害して槽内液体の混合を促進する撹拌装置。
【請求項２】
請求項１に示す撹拌装置であって、撹拌機の取付けを偏芯させることにより撹拌能力を更に高めた撹拌装置。
【請求項３】
請求項１または請求項２に示す撹拌装置であって、混合力が高まることによって、固定板の数を減らす或いは固定板を使用しなくても十分な撹拌状態を得ることができるようにした撹拌装置。
【請求項４】
請求項１または請求項２または請求項３に示す撹拌装置であって、排水処理の試薬を混合するために用いられる撹拌装置。
【発明の詳細な説明】
【技術分野】
【０００１】
液体を主とする流体を混合・撹拌する装置に関するものである。特に、撹拌機の羽根を撹拌機の液中に入れて回転させることで液体を混合・撹拌する装置に関するものである。
【背景技術】
【０００２】
従来撹拌装置は、撹拌能力を保ち槽内を均一にするために撹拌槽内に撹拌流れからから隔離されるような内部構造を設けることはなかった。また液面を一定に保つためには計器を用いた液面制御を行う方法が一般的であり、オーバーフロー高さによる液面の一定化は撹拌流れの影響を直接受けるのでほとんど行われていなかった。
【発明の開示】
【発明が解決しようとする課題】
【０００３】
撹拌装置において、簡単な内部構造によって、撹拌流れの影響を抑えた流出路を確保し、撹拌効果を高める撹拌装置とすることを課題とする。
【課題を解決するための手段】
【０００４】
流出口の設置高さを決めることにより流入量に見合った流出量となり槽内の液面が一定に保たれ、かつ流路板が撹拌機による液体の円運動を阻害して槽内液体の混合を促進する。
【０００５】
撹拌機の取付けを偏芯させることにより撹拌能力を更に高める。
【０００６】
混合力が高まることによって、固定板の数を減らす或いは固定板を使用しなくても十分な撹拌状態を得る。
【０００７】
上記の手段を用いて、投入される試薬と排水を混合して凝集操作やｐＨ調整などの排水処理を行う。
【発明の効果】
【０００８】
本発明を利用することによって、本来は計器による液面制御や流出配管などの外部構造であった液面制御システムを内部構造に取り入れた上に撹拌効果を高めることができるため、構造上および制御システムの上で簡略化が図れる。
【発明を実施するための最良の形態】
【０００９】
図１において、流出口１ｂの設置高さを決めることにより流入口１ａから入る流入量に見合った流出量となり槽内の液面１ｅが一定に保たれ、かつ流路板１ｃが撹拌機２による液体の円運動を阻害して槽内液体の混合を促進する。撹拌機２の取付けを偏芯させることにより撹拌能力を更に高めることができる。またこの手段で混合力が高まることによって、固定板１ｄの数を減らす或いは固定板１ｄを使用せずに十分な撹拌状態を得ることもできる。これらは排水処理の凝集操作や試薬の混合に適用できる。
【産業上の利用可能性】
【００１０】
排水処理や化学装置、食品などの製造に適用できる。
【図面の簡単な説明】
【００１１】
【図１】液面を一定にして撹拌効果を高める撹拌装置の一例を示した斜視図である。
【符号の説明】
【００１２】
１        撹拌槽
１ａ      流入口
１ｂ      流出口
１ｃ      流路板
１ｄ      固定板
１ｅ      液面
２        撹拌機
２ａ      モータ、減速機
２ｂ      撹拌軸
２ｃ      撹拌羽根
【図１】
2006255623.tif 000003
(57)【要約】【目的】  必要な複数枚重ねたカーボン紙の示談書・承諾書で、個人情報である「口座」の番号等の記入は、守秘義務が課せられた特定の弁護士や企業等と記入側の当事者に限定出来ないかと考えたものである。【構成】    必要な複数枚からなるカーボン紙の示談書・承諾書の文面で、口座の記入欄を守秘義務のある代理人等と口座記入者側の用紙に限定してもうけ、他の用紙の口座記入欄のある箇所には、記入しないような文等を印字し、記入の際、口座の記入欄の無い用紙を口座記入欄のある用紙の上に重ねるのを特徴とする代理人等が介すカーボン紙を使用した示談書・承諾書の一形式【選択図】              図１
2006082534.tif 000002
【特許請求の範囲】
【請求項１】
必要な複数枚からなるカーボン紙の示談書・承諾書の文面で、口座の記入欄を守秘義務のある代理人等と口座記入者側の用紙に限定してもうけ、他の用紙の口座記入欄のある箇所には、記入しないような文等を印字し、記入の際、口座の記入欄の無い用紙を口座記入欄のある用紙の上に重ねるのを特徴とする代理人等が介すカーボン紙を使用した示談書・承諾書の一形式
【発明の詳細な説明】
【産業上の利用分野】
【０００１】    個人情報管理を図った示談書・承諾書作成に関するものである。
【背景技術】
【０００２】１  既製の申込書等において、カーボン機能のあるところとないところが混在する用紙を使用しているものはある。
２  カーボン紙を利用した示談書・承諾書には、同一文書が記入されている。
パソコン等で印字する示談書とも同じである。
このため、重ねられた示談書等の最も上の用紙に記入するため、すべてに署名等及び口座が記入・複写されている。
【発明が解決しようとする課題】
【０００３】    必要な複数枚重ねたカーボン紙の示談書・承諾書で、個人情報である「口座」の番号等の記入は、守秘義務が課せられた特定の弁護士や企業等と記入側の当事者に限定出来ないかと考えたものである。
【課題を解決するための手段】
【０００４】    必要な複数枚からなるカーボン紙の示談書・承諾書の文面で、口座の記入欄を守秘義務のある代理人等と口座記入者側の用紙に限定してもうけ、他の用紙の口座記入欄のある箇所には、記入しないような文等を印字し、記入の際、口座の記入欄の無い用紙を口座記入欄のある用紙の上に重ねるのを特徴とする。
署名等・捺印が必要な枚数より、少ない所定の用紙に振り込み口座の記入欄が印字され、他の用紙には記入しないよう指示する文があり、重ねた最も上の用紙に署名等を、重ねた下から所定の枚数のみに口座の記入を指定して記入させ・記入した用紙の下側に複写される。口座が記入される用紙は署名等のみの用紙より少ない、代理人等が介すカーボン紙を使用した示談書・承諾書の一形式
【作用】
【０００５】    必要な複数枚重ねたカーボン紙の示談書・承諾書で重ねた最も上の用紙から署名等を、重ねた下から所定の枚数のみの用紙に口座の記入を指定して、記入させるようにしているため、口座は所定もの（守秘義務のある弁護士や企業）分しか印字された用紙がない。
【実施例１】
【０００６】    甲（加害者）・乙（被害者）・仲介者（守秘義務が存在する）の場合、３枚重ねたカーボン紙の示談書・承諾書で重ねた最も上の用紙（甲に渡す用紙）に署名を、重ねた下から２枚のみの用紙に口座の記入を指定して記入させるカーボン紙を使用した示談書・承諾書
この際、最も上のカーボン紙の口座記入位置には「個人情報保護のため、口座は次のページに記入してください」等の文書を記入して注意を喚起する。
【発明の効果】
【０００７】    個人情報である口座の番号のある書類は、守秘義務のある弁護士等と口座を記入したもののみ保有するので、個人情報の流失が防げる。
【図面の簡単な説明】
【図１】    本発明、実施例１のイメージ図
【符号の説明】
１  最も上の用紙：甲が保有
２  ２枚目の用紙：仲介人が保有
３  最も下の用紙：乙が保有
【図１】
2006082534.tif 000003
(57)【要約】【課題】生鮮食品を家庭で手軽にビニール袋を真空にして生鮮食品を保存する事を目的とした。【解決手段】保存袋の上部の角にゴム栓を取り付け、チャックはゴム栓の横で止まるように形成し最初チャックを閉めてゴム栓に真空ポンプを差込、真空ポンプの頭を数回押すと保存袋の中が真空状態になることを特徴とする、生鮮食品を保存する、保存袋と真空ポンプである。【選択図】    図１
2006082872.tif 000002
【特許請求の範囲】
【請求項１】
保存袋の上部の角にゴム栓を取り付け、チャックはゴム栓の横で止まるように形成し最初チャックを閉めてゴム栓に真空ポンプの先を差込み、真空ポンプの頭を数回押すと保存袋の中が真空状態になることを特徴とする、生鮮食品を保存する、保存袋と真空ポンプである。
【発明の詳細な説明】
【技術分野】
【０００１】本発明はビニール袋を真空にして、中の生鮮食品を保存する、生鮮食品保存袋と真空ポンプである。
【背景技術】
【０００２】従来、食品を機械によって真空パックしたものがあった。
【発明の開示】
【発明が解決しようとする課題】
【０００３】そのため、次のような問題点があった。
（イ）業務用に提供されているものは高価で、大きさ的にも家庭で扱えるものとはなってない。
（ロ）小型の家庭用として販売されているものは、電気を使うため、例えばアウトドアーでのレジャー時などには場所により使え無いことがあった。
本発明は、これらの問題点を解決するためになされたものである。
【課題を解決するための手段】
【０００４】保存袋の上部の角にゴム栓を取り付け、チャックはゴム栓の横で止まるように形成し最初チャックを閉めてゴム栓に真空ポンプの先を差込み、真空ポンプの頭を数回押すと保存袋の中が真空状態になることを特徴とする、生鮮食品を保存する、保存袋と真空ポンプである。
【発明の効果】
【０００５】ビニールの中が真空になるので、生鮮食品が長持ちするのとピッタリ締まるので整理が簡単である。また、場所を選ばず、アウトドアーのレジャー時など、屋外へ携帯して使用することも可能である。
【発明を実施するための最良の形態】
【０００６】（イ）保存袋の角（９）にゴム栓（２）を設け、チャックはゴム栓の横で止まる。真空ポンプの（７）に吸出し弁（３）を設けこの吸出し弁（３）に近接させて排出弁（４）を設けた事を特徴とした保存袋と真空ポンプである。
【図面の簡単な説明】
【０００７】
【図１】本発明の全体図
【図２】本発明の袋の真空ポンプに取り付けた排出弁の拡大図
【図３】本発明の（２）のＡはゴム栓の平面図、Ｂは真空ポンプの先が入り易いように中央にカットが入ったゴム栓の断面図。
【符号の説明】
【０００８】１    保存袋本体
２    ゴム栓
３    吸出し弁
４    排出弁
５    真空ポンプの先端
６    チャック
７    真空ポンプ本体
８    真空ポンプの頭
９    保存袋の角
【図１】
2006082872.tif 000003
【図２】
2006082872.tif 000004
【図３】
2006082872.tif 000005
(57)【要約】【課題】  本発明は、主に飲料用のペットボトルに、小型で体裁が良く、邪魔にならないキャップホルダーを設けることを課題とする。【解決手段】  ねじ切り式スクリューキャップ２の下端に設けてある切り離し可能なリング部２ａに、挟みクリップ式のキャップホルダー部３を一体化形成して設け、スクリューキャップ側壁面２ｂの一部を内側と外側から挟み込むようにした。【選択図】  図１
2006082875.tif 000002
【特許請求の範囲】
【請求項１】
スクリューキャップ側壁面の一部を内側と外側から挟み込んで保持する、挟みクリップ式のキャップホルダー部をペットボトルに設けたことを特徴とする、キャップホルダー機能付ペットボトル。
【請求項２】
キャップホルダー部を、ねじ切り式スクリューキャップ下端に設けてある切り離し可能リング部、または、サポートリングに一体化形成して設けたことを特徴とする、請求項１に記載のキャップホルダー機能付ペットボトル。
【発明の詳細な説明】
【技術分野】
【０００１】  本発明は、取外したスクリューキャップを一時保持する機能を設けた、ペットボトルに関するものである。
【背景技術】
【０００２】  スクリューキャップで飲み口を開閉するペットボトルでは、取外したスクリューキャップは、手に持つか、又は、飲料容器から離れた場所に置いていた。【０００３】  従来、これに類するキャップホルダーとしては、特許公開２００４−１７５４４７号、特許公開２００４−１１５１２０号、特許公開２００３−３１２６７９号、特許公開２００３−１６０１６３号、特許公開２００２−３３７９２１号、特許公開２００１−７２１２０号、特許公開２０００−１０９０７５号などが提案している。
【発明の開示】
【発明が解決しようとする課題】
【０００４】  主に飲料用のペットボトルでは、飲料を飲む際に取外したスクリューキャップは、飲料容器から独立させておかなければならない為、特に置く場所がない場合には、飲料を一旦飲み終わるまでは取外した方の手にスクリューキャップを持っていなければならないことがある。このような場合では、飲料を飲む度に両手がふさがってしまうことになり、時として不便でもあり、また、一口飲む度にキャップを開閉することにもなり面倒でもある。【０００５】  そこで本発明は、ペットボトル本体に、小型で体裁が良く、邪魔にならないキャップホルダーを設けることを課題とする。
【課題を解決するための手段】
【０００６】  請求項１に記載の発明は、スクリューキャップ側壁面の一部を内側と外側から挟み込んで保持する、挟みクリップ式のキャップホルダー部を、ペットボトル本体に設けた。【０００７】  請求項２に記載の発明は、キャップホルダー部を、ねじ切り式スクリューキャップ下端に設けてある切り離し可能リング部、または、サポートリングングに一体化形成して設けた。
【発明の効果】
【０００８】  キャップホルダー部を構造が簡単な挟みクリップ式にしたことで、小型に成形ができ体裁が良い。さらに、リング部に一体化形成して設けた為、目立たず、邪魔にもならない。
【発明を実施するための最良の形態】
【０００９】  キャップホルダー部は、主にＬ字型やコ字型の挟みクリップ状で、リング部に一体化形成して設けられており、スクリューキャップ側壁面の一部を内側と外側から挟み込むようにしてある。このキャップホルダー部にスクリューキャップ開口縁の一部を嵌め込むことで、スクリューキャップは保持されるようになる。
【実施例】
【００１０】  以下、添付図面（図１）に従って実施例を説明する。１はペットボトル本体、２はねじ切り式のスクリューキャップで、下端には切り離し可能なリング部２ａが設けられており、スクリューキャップ２の初回開封時に切り離されるリング部２ａは、ねじ部４の最下部に残されるようになっている。３はＬ字型をした挟みクリップ状に成形されているキャップホルダー部で、リング部２ａに同素材で一体化形成して設けられており、リング部２ａの周方向と平行に設置されている。また、この場合、（図２）のように、スクリューキャップ２は開口部６を横向きにした状態で装着されるようになる。【００１１】  また、キャップホルダー部３の内側には、ツメ３ａなどの小凹凸部を設けることが好ましく、装着したスクリューキャップ２の内周面、もしくは、外周面に設けてある凸凹部に嵌まるようにすることで、キャップホルダー部３ａに装着したスクリューキャップ２は、容易に外れたりせずに保持されるようになる。【００１２】  （図１）の実施例では、Ｌ字型のキャップホルダー部３をリング部２ａの周方向と平行（横向き）に設置しているが、他の実施例として、キャップホルダー部３をコ字型（図４）に成形したり、また、上向き（図３）や下向きに設置してもよい。【００１３】  更に、他の実施例として、キャップホルダー部３をリング部２ａに複数設けてもよい。
【図面の簡単な説明】
【００１４】
【図１】  スクリューキャップ未装着時のキャップホルダー部周辺を示す図である。
【図２】  スクリューキャップ装着時のペットボトル上部を示す図である。
【図３】  キャップホルダー部を上向きに設置した場合の正面図である。
【図４】  コ字型のキャップホルダー部を外向きに設置した場合の正面図である。
【符号の説明】
【００１５】  １    ペットボトル本体
２    スクリューキャップ
２ａ  リング部
２ｂ  側壁面
３    キャップホルダー部
３ａ  ツメ
４    ねじ部
５    サポートリング
６    開口部
【図１】
2006082875.tif 000003
【図２】
2006082875.tif 000004
【図３】
2006082875.tif 000005
【図４】
2006082875.tif 000006
(57)【要約】【課題】    硬めに巻かれた綿棒の綿部を軟化させることを可能とする。【解決手段】  綿棒収納容器の蓋内側面に凹凸を設ける。綿棒を使用する際綿棒頭部を凹凸面上で数回擦ることにより綿を軟化させる。【選択図】  図１
2006082874.tif 000002
【特許請求の範囲】
【請求項１】
蓋の内側面の一部または全面に凹凸を設けた綿棒収納容器。
【発明の詳細な説明】
【技術分野】
【０００１】本発明は、綿棒の硬い綿部をほぐし、軟化して使用する事を可能とする綿棒収納容器に関するものである。
【背景技術】
【０００２】従来使用されている綿棒は、綿部の形状保持や品質維持等の理由によって硬め巻かれているケースが多い。この様な綿棒においては本来綿が持つ柔らかさが失われ、傷口、口腔、鼻孔、耳孔等敏感な皮膚部分への使用には稍刺激が強過ぎる嫌いがあった。
【発明の開示】
【発明が解決しようとする課題】
【０００３】解決しようとする課題は、硬めに巻かれた綿棒が敏感な皮膚部分には刺激が強過ぎる点である
【課題を解決しようとする課題】
【０００４】本発明は、使用前の綿棒を数回擦ることにより綿を柔らかにする凹凸面を綿棒の収納蓋の内側面に設けたことを最も主要な特徴とする。
【発明の効果】
【０００５】本発明は綿部の軟化使用により傷口、口腔、鼻孔、耳孔等敏感な皮膚部分に対し刺激を軽減する効果を生じる。また、綿部に薬液、軟膏等を含浸させる際、硬めの綿部より多量に含有するため塗布作業を容易にする効果も生じる
【発明を実施するための最良の形態】
【０００６】本発明は綿棒の収納容器の蓋内側の一部または全部に凹凸面を設けることにより綿部を軟化させる目的を実現した。
【実施例１】
【０００７】図面は本発明の１実施例図である。【０００８】本発明の綿棒容器蓋の内側に設ける凹凸個個の形状は実施例図に示すように小突起状の他、直線、曲線など線状突起でも同様な効果を得るので、綿をほぐす効果を生じるものであれば特に凹凸個個の形状は限定されるものではない。硬い綿部をほぐすに足る凹凸面を設けたことを本発明の特徴とする。【０００９】  使用に際しては、綿棒の頭部を凹凸面に当て数回擦ることにより硬めの綿はほぐれて容易に軟化する。
【産業上の利用可能性】
【００１０】  本発明は綿棒収納容器の蓋の一部を凹凸面として成形する容易な加工で製造出来、且つ資材原価も従来品とほぼ同等である。消費者に対しては、綿棒の使用に際して敏感な皮膚部に対する刺激を減じる利点を提供する
【図面の簡単な説明】
【００１１】
【図１】本発明実施例の従断面図である。
【図２】蓋の底面図である。
【符号の説明】
【００１２】１  蓋
２  凹凸面
【図１】
2006082874.tif 000003
【図２】
2006082874.tif 000004
(57)【要約】      （修正有）【課題】ラップフィルムを取り出す際、フィルムの両端末が垂れ下がり裏側に付着するなど扱いにくい。そこで、ラップフィルムの取り出しが容易に、素早く出来る簡単な構造のラップフィルム挟持具を提供。【解決手段】挟持具は、ラップフィルム端末を挟持し易くするために鳥のくちばしのように開き、挟持面は小さな凹凸をつける。指で押圧して挟持し、離すと開いた状態に復元するよう弾性が付与されている。プラスチック成型品であり、廃プラを利用できる。【選択図】図１
2006082873.tif 000002
【特許請求の範囲】
【請求項１】
食品の包装などに使用するためにラップフィルムの端末を引き出す場合、ラップフィルムが垂れ下がるのを防止する構造において、ラップフィルムの幅に合わせた長さのプラスチック製のフィルム支持部材（挟持体）の中間部を薄くし弾性を持たせ、且つフィルムを挟持する面に複数の凹凸を形成し、ラップフィルムの端末を確実に挟持することを特徴としたラップフィルム挟持装置。
【発明の詳細な説明】
【産業上の利用分野】
【０００１】  本発明は、一般家庭等で使用される食品包装用のラップフィルムの利便性の改良に関する。
【背景技術】
【０００２】  従来は、一方の手でラップフィルムケースを持ち、もう一方の手で引き延ばすため、両端が垂れ下がり、場合によってはフィルム同士が張り付いて失敗することが多く見受けられた。又、これを防止するために、ケースと同部材をケースから剥がして使用する案も出願されているが、剥がすことが面倒なことと、その強度において満足な効果を期待することが出来ない等の不便さがあった。
【発明が解決しようとする課題】
【０００３】  本発明は、食品などを保存するためラップフィルムを使用するときに、失敗無く確実に出来る構造にし、上記の欠点を解消することが課題である。
【課題を解決するための手段】
【０００４】  本発明は、食品などを保存するためのラップフィルムをロールフィルム収納ケースから引き出すときに、そのフィルムの端末を、ある程度の剛性を持った部材を指で摘んでフィルムを挟持して引き出す構造にために、プラスチック製とし、その中央部を曲げ易く且つ、弾性力を持たせるために薄くし、使用後は直ちに復元させる。又、フィルムを確実に挟持し引き出すときに抜けないように、挟持面に凹凸を設ける、等により課題を解決する。
【発明を実施するための最良の形態】
【０００５】  以下、本発明の一実施例について図面により説明する。
（図１）１．は収納ケース本体で、３．ラップフィルムが収納されている。これを４．挟持体を５Ｂ．右指で抓み、３．ラップフィルムの端末を挟み引き出し、５Ａ．左指で収納ケースの１Ａ．重なり部を抑え、５Ｂ．右指を下方に力を入れて２．切断刃で切断する。（図２）は上記の状態を示す側断面図であり３．ロール状になったフィルム、３Ａ．はその芯である。２．は切断刃で１Ｂ．はフィルム切断後フィルムの先端を抓み易いように１．収納ケースの２．切断刃に近い部位に切り起こし、その弾性力を利用して３．フィルムの端部を浮かせる。【０００６】（図３）（図４）（図５）は、本発明の主要部の構造を示す一例で４．挟持体は、４Ａ．本体と４Ｂ．突起部と４Ｃ．弾性部からなっており、（図５）は（図３）のＸ・Ｙ断面図によりその詳細構造を示す。【０００７】（図６）は、３．フィルムを切断してから４．挟持体でフィルム端末を挟むまでを示すもので、２．切断刃によって切断された３Ｂ．フィルムは１Ｂ．切り起し部によって持ち上げられ、（図６）のように逆さにすると垂れ下がり４．挟持体が掴み易いようになる。但し、１Ｂ．切り起部は必須条件ではなく、息を吹きかけても先端は十分に１．収納ケース本体から離脱する。【０００８】（図７）は、４．挟持体の使用前の形状を示す側面図で、（図５）で示したＸ・Ｙ断面図のように平面的に成形された後、冷却前に治具に入れて（図７）のように角度をつけ冷却するか、成形後纏めて治具に入れて角度をつける。そして（図８）のようにして４．挟持体がフィルムを挟み引き出し切断後は４Ｃ．の弾性により（図７）のように復元する。【０００９】  本発明は、ラップフィルム収納ケースの構造に左右されず、どのような収納ケースでも適用できる。又、本発明の挟持体の強度や大きさコスト等からプラスチック製とし、材料はリサイクルプラスチックを利用できる。
尚、６．リングにより、本体を適当な所に吊り下げることもできる。
【発明の効果】
【００１０】  本発明は、食品保存用に使用するラップフィルムを、誰でも簡単に素早く目的を発揮できる構造としたことである。即ち、従来の構造では、ラップする時にどうしても端部の両端が垂れて失敗することが多かったのを本発明の挟持体を使用することにより、力が均等に入り、引き出し易く、ラップし易くなり、切断もし易くなる。性能や精度に関係が無いので廃プラの再利用ができる。尚、何回も使用できるので、本発明品を一家に一品、常備しておくと尚便利である。
【図面の簡単な説明】
【図１】本発明の全体を表す斜視図
【図２】同上断面図
【図３】本発明の主要部を表す平面図
【図４】同上側面図
【図５】同上Ｘ・Ｙ断面拡大図
【図６】本発明装置の使用方法表す断面図
【図７】同上側面図
【図８】同上側面図
【符号の説明】
（１）ラップフィルム収納ケース
（２）フィルム切断刃
（３）ラップフィルム
（４）挟持体
（５）指
（６）リング
【図１】
2006082873.tif 000003
【図２】
2006082873.tif 000004
【図３】
2006082873.tif 000005
【図４】
2006082873.tif 000006
【図５】
2006082873.tif 000007
【図６】
2006082873.tif 000008
【図７】
2006082873.tif 000009
【図８】
2006082873.tif 000010
(57)【要約】【課題】  スーパーマーケット、コンビニなどにおいてレジで配布されているレジ袋に品物を入れて重い場合、持ち運ぶ際、レジ袋取手部分が手の平や指に喰い込む。この苦痛と負担を軽減せしめ、簡便でコンパクトな形状形態のレジ袋用手提げホルダーの提供。【解決手段】  レジ袋用手提げホルダーとして手の平に掌握し得るほどの大きさと半硬質素材で形成された螺旋形態の利点を応用した螺旋形状のホルダーで、螺旋形状本体は横長筒状の中空部（２）を有し、螺旋線体（１）の螺旋隙間にレジ袋取手部分（５）を挟み込み巻きつけることでレジ袋を簡便に保持することができ、重い品物が入ったレジ袋を指や掌に負担なく手提げ運搬できるところの着脱自在のレジ袋用手提げホルダーの提供。【選択図】図４
2006082813.tif 000002
【特許請求の範囲】
【請求項１】
手の平に掌握し得るほどの大きさで横長の螺旋形状で構成される本体は横長筒状の中空部を有し、且つ、螺旋形状を形成する螺旋線体の断面は半円形、または、半楕円形の線体で、その太さと幅は螺旋形状本体を掌握したとき親指を除く他の４本の指の内側並列形状に係合する太さと螺旋状隙間で形成され、合成樹脂などの半硬質素材で形成されるところのレジ袋用手提げホルダー。
【請求項２】
請求項１のレジ袋用手提げホルダーの先端部に携帯ストラップ用の穴部を設け携帯ストラップを付けたところの携帯レジ袋用手提げホルダー。
【発明の詳細な説明】
【技術分野】
【０００１】
本発明は、レジ袋用手提げホルダーの形状形態に関する。
【背景技術】
【０００２】
従来のレジ袋用手提げホルダーには管状の形状ホルダーや、フック式ホルダーの発明や考案などがある。
【特許文献１】特許公開２００２−１５４５５７
【特許文献２】特許公開２００２−４６８０３
【特許文献３】実用新案公開平０６−０１９５５２
【発明の開示】
【発明が解決しようとする課題】
【０００３】
スーパーマーケット、コンビニなどにおいてレジで配布されているレジ袋に品物を入れて持ち運ぶ際、重い場合、レジ袋取手部分が手の平や指に喰い込む。この苦痛と負担を軽減せしめ、簡便でコンパクトな形状形態のレジ袋用手提げホルダーの提供。
【課題を解決するための手段】
【０００４】
手の平に掌握し得るほどの大きさに全体を形成した横長螺旋形状のレジ袋用手提げホルダーの発明で、螺旋形状本体は横長に中空部を有し、掌に係合する螺旋形状本体の螺旋状隙間にレジ袋取手部分を挟み込み巻きつけることでレジ袋を簡便に保持することができる。重い品物が入ったレジ袋が指や掌に負担無く手提げ運搬ができる着脱自在のレジ袋用手提げホルダーの提供。
【発明の効果】
【０００５】
本発明のレジ袋用手提げホルダーは螺旋状形態の特異性を利点とする発明で、「図４」で示すところのレジ袋の取手部を発明本体の螺旋状隙間に容易に挟み込み巻き付けることができ、品物を入れた重いレジ袋を運ぶとき、掌や指に掛かる負担を軽減せしめるレジ袋用手提げホルダーであり、本体はシンプル、且つ、軽量瀟洒な形状で携帯ストッラプ付の小物アクセサリーにもなり、日常的に携帯して買い物などに役立てられるレジ袋用手提げホルダーであり、製造も容易で安価なレジ袋用手提げホルダーが提供できる  
【発明を実施するための最良の形態】
【０００６】
手の平に掌握し得るほどの大きさに全体を形成した横長の螺旋形状本体は螺旋形態で形成される横長筒状の中空部（２）を形成せしめ、螺旋形態を形成する螺旋線体（１）の断面（３）は半円形、または、半楕円形を有し、螺旋形状本体を掌握したとき、親指を除く他の４本の指の内側並列形状に係合する太さと螺旋状隙間とで形成され、合成樹脂などの半硬質素材で形成されるところのレジ袋用手提げホルダーで、レジ袋取手部分（５）を螺旋状隙間に挟み込み巻き付けて使用する。また、このホルダー先端部に携帯ストッラプ用穴部（４）を設け、携帯に便利な形態を有するところのレジ袋用手提げホルダー。
【０００７】
本発明実施の形態を「図１」、「図２」、「図３」、「図４」に基づいて説明する。「図１」は本発明螺旋形状本体の斜視図を示し、「図２」は螺旋形状本体先端方向から見たところの平面図を示す。「図３」は螺旋形状本体を形成する螺旋線体一部分の断面斜視図を示し、「図４」はレジ袋を螺旋形状本体に巻き付け装着したところの実施形態図を示す。
【図面の簡単な説明】
【０００８】
【図１】本体斜視図
【図２】本体平面図
【図３】螺旋線体一部断面斜視図
【図４】実施形態図
【符号の説明】
【０００９】
１    螺旋線体
２    中空部
３    螺旋線体断面
４    携帯ストッラプ用穴部
５    レジ袋取手部分
【図１】
2006082813.tif 000003
【図２】
2006082813.tif 000004
【図３】
2006082813.tif 000005
【図４】
2006082813.tif 000006
【手続補正書】
【提出日】平成16年10月15日(2004.10.15)
【手続補正１】
【補正対象書類名】特許請求の範囲
【補正対象項目名】全文
【補正方法】変更
【補正の内容】
【特許請求の範囲】
【請求項１】
手の平に掌握し得るほどの大きさで横長の螺旋形状で構成される本体は横長筒状の中空部を有し、且つ、  螺旋形状を形成する螺旋線体の断面は円形、半円形、または、楕円形の個体、または筒状の線体で、その太さと幅は螺  旋形状本体を掌握したとき親指を除く他の４本の指の内側並列形状に係合する太さと螺旋状隙間で形成され、合成樹脂な  どの半硬質素材で形成されるところのレジ袋用手提げホルダー。
【請求項２】
請求項１のレジ袋用手提げホルダーの先端部に携帯ストラップ用の穴部を設け携帯ストラップを付けたところの携帯レジ袋用手提げホルダー。
(57)【要約】【課題】ソフト感があり、引っ張り強度や帯掛け機との適合性に優れた帯封テープを提供する。【解決手段】幅２０〜８０ｍｍ且つ厚み０．０８〜０．２５ｍｍのポリプロピレンからなる単一合成樹脂層からなり、この合成樹脂層は、３〜８倍の延伸倍率で一軸延伸された帯封テープであり、好ましくは前記ポリプロピレンがブロックコポリマーが５０％以上配合されたである帯封テープであり、引っ張り強度が強く、縦割れがなく、彎曲が少ないので、帯掛け機との適合性に優れている。【選択図】        なし【特許請求の範囲】
【請求項１】
幅２０〜８０ｍｍ且つ厚み０．０８〜０．２５ｍｍの単一合成樹脂層からなることを特徴とする帯封テープ。
【請求項２】
合成樹脂がポリプロピレン（ＰＰ）であることを特徴とする請求項１記載の帯封テープ。
【請求項３】
ＰＰからなる合成樹脂層が延伸倍率３〜８倍に一軸延伸されたものであることを特徴とする請求項２記載の帯封テープ。
【請求項４】
ＰＰからなる合成樹脂層が延伸倍率５〜７倍に一軸延伸されたものであることを特徴とする請求項２記載の帯封テープ。
【請求項５】
ＰＰが、ブロックコポリマーＰＰが５０％以上配合されたものであることを特徴とする請求項１〜４のいずれか一項に記載の帯封テープ。
【請求項６】
ＰＰが、ブロックコポリマーＰＰが５０％以上とメタロセンランダムコポリマーＰＰが１０％以上配合されたものであることを特徴とする請求項１〜４のいずれか一項に記載の帯封テープ。
【発明の詳細な説明】
【技術分野】
【０００１】
本発明は、カタログ、送り状、書籍、ハガキ、カード、小物などの物品を束ね、集積包装などに主として用いられる幅広フィルム状の帯封テープに関する。
【背景技術】
【０００２】
【特許文献１】特開２００２−１７８４３３号公報  従来、帯封テープとしてポリエチレンテレフタレート（ＰＥＴ）を基体としてその表裏面にポリエチレン（ＰＥ）を積層したものが知られている。この合成樹脂の複層からなる帯封テープは被封物に巻回されたあとテープの端部が重ねられこの重なった部分を熱溶着して結束していた。
【０００３】
又、特開２００２−１７８４３３号公報に記載されているようなクラフト紙等の紙を基体としその表面にＰＥを積層し、更にその上に接着剤層を形成した帯紙が知られていた。
【発明の開示】
【発明が解決しようとする課題】
【０００４】
しかしながらＰＥＴの表裏にＰＥを積層した帯封テープにおいては被封物に巻回したときに基体にＰＥＴが用いられているためテープの伸びが少なく、ソフト感が無いという問題があった。又、貼り合せ或いは共押出により複層を形成しているため、工程が複雑であり、コストが高くなるという問題があった。更に被封物が大型の物品であるとき引っ張り強度が不足するという問題や帯封テープの腰が弱く大型の帯掛け機で使用し難いという問題があった。
【０００５】
又、特開２００２−１７８４３３号公報に記載されているような紙を基体とする帯紙においては、紙幣などの結束には好適に用いられるもののカタログや書籍などの印刷物に用いると内容物が視認しにくいという問題があった。
【０００６】
そこで本発明者は従来の欠点に鑑み鋭意研究の結果、ソフト感があり、引っ張り強度や帯掛け機との適合性に優れた帯封テープを提供するものである。
【課題を解決するための手段】
【０００７】
本発明請求項１記載の帯封テープは、幅２０〜８０ｍｍ且つ厚み０．０８〜０．２５ｍｍの単一合成樹脂層からなることを特徴とするものであり、製造が容易で、引っ張り強度や帯掛け機との適合性に優れる。
【０００８】
本発明請求項２記載の帯封テープは、合成樹脂がポリプロピレン（ＰＰ）であることを特徴とする請求項１記載のものであり、製造が容易で、引っ張り強度や帯掛け機との適合性に優れる。
【０００９】
本発明請求項３記載の帯封テープは、ＰＰからなる合成樹脂層が延伸倍率３〜８倍に一軸延伸されたものであることを特徴とする請求項２記載のもので、製造が容易で、引っ張り強度や帯掛け機との適合性に優れる。
【００１０】
本発明請求項４記載の帯封テープは、ＰＰからなる合成樹脂層が延伸倍率５〜７倍に一軸延伸されたものであることを特徴とする請求項２記載のもので、製造が容易で、引っ張り強度や帯掛け機との適合性に優れる。
【００１１】
本発明請求項５記載の帯封テープは、ＰＰが、ブロックコポリマーＰＰが５０％以上配合されたものであることを特徴とする請求項１〜４のいずれか一項に記載のもので、製造が容易で、引っ張り強度や帯掛け機との適合性に優れる。
【００１２】
本発明請求項６記載の帯封テープは、ＰＰが、ブロックコポリマーＰＰが５０％以上とメタロセンランダムコポリマーＰＰが１０％以上配合されたものであることを特徴とする請求項１〜４のいずれか一項に記載のもので、製造が容易で、引っ張り強度や帯掛け機との適合性に優れる。
【発明の効果】
【００１３】
本発明帯封テープは単一の合成樹脂層からなるので、製造が容易であり、引っ張り強度や帯掛け機との適合性に優れる。又、合成樹脂がＰＰであれば、透明性に優れ被封物の表面が容易に視認できる。
【発明を実施するための最良の形態】
【００１４】
以下本発明の実施形態の一例とＰＰの配合を変えた例について説明する。
表１に示すようにＰＰの配合を変えた帯封テープを製作し、耐縦割れ、弯曲、巻き取り後の凸凹癖、について評価した。又、各配合での帯封テープの収縮率を測定した結果を示す。
【００１５】
【表１】
2006082862.tif 000002
【００１６】
耐縦割れは手で幅方向に半分に折って評価した。割れやすい物は帯掛け機で使用時にトラブルが発生しやすいことによる。
【００１７】
弯曲は、帯封テープの長手方向の弯曲について、巻き取り後２４時間常温環境に放置してから計測したものであり、２ｍの長さの帯封テープの最も直線から外れた長さを測定し、２５ｍｍ以下のものを○、３５ｍｍ以下のものを×とした。
【００１８】
巻き取り後の凸凹は帯封テープをトラバース巻きしたときに、ターン部分で上下のテープが重ならない部分ができ、テープの厚みの分だけ段差がこの部分のテープの縁にでき、この縁の上に巻かれたテープが巻き取り後の収縮により凸凹が発生するものです。この凸凹の有無を目視で確認し評価した。製品をトラバース巻きするのは巻き長さが長尺化できるためである。
【００１９】
収縮率は、帯封テープを６０゜Ｃの環境に２４時間放置し、その前後での収縮率を測定したものである。
【００２０】
本発明帯封テープの表面は平滑面でもよいが、表裏面にエンボスを付ければ帯掛け機のアーチ内での摩擦抵抗が低くなり、更に好ましい。又、表裏面にエンボスを付けることにより、巻き取り後の収縮が緩和され、巻き取り後の凸凹癖が減少する。又、表面あるいは裏面のみにエンボスを付ければ巻き癖が緩和されるとともに意匠性にも優れる。
(57)【要約】【課題】比較的厚い肉厚を有し、視覚的に高級感を与えるとともに、容積が一定で、容器内に一定量の内容物を充填すると、常に上面位置が一定となる樹脂製ビン容器を提供する。【課題の解決手段】  樹脂製ビン容器１は、ポリエステル樹脂製であって、内側パーツ２と外側パーツ３とを一体化してなり、内側パーツ２の外周面には、雄ねじ部４の下に形成した段部５に連続するよう環状溝６を設ける一方、外側パーツ３の上端縁には環状突縁７を設け、この環状突縁７を環状溝６に突入して緊密に係合してなるものである。【選択図】    図１
2006082864.tif 000002
【特許請求の範囲】
【請求項１】
ポリエステル樹脂製ビン容器であって、内側パーツと外側パーツとを一体化してなり、前記内側パーツの外周面には環状溝を設け、前記外側パーツの上端縁を前記環状溝に突入してなることを特徴とする樹脂製ビン容器。
【請求項２】
内側パーツの環状溝は、前記内側パーツの外周面に設けた雄ねじ部の下に形成した段部に連続するよう設ける一方、外側パーツの上端縁に、前記環状溝に突入する環状突縁を設けたことを特徴とする請求項１記載の樹脂製ビン容器。
【発明の詳細な説明】
【技術分野】
【０００１】
本発明は、内側パーツと外側パーツとを一体化してなるポリエステル樹脂製ビン容器に関し、例えば、化粧用クリームなどの各種化粧料を収容するのに適した樹脂製ビン容器に関する。
【背景技術】
【０００２】
従来、化粧料用のビン容器は、商品イメージを高めるために、高級感を出す必要が有るので、肉厚の厚い容器が使用されている。一般の樹脂製ビン容器の製造は、ブロー成形で行われることが多いが、このブロー成形では、肉厚はせいぜい５ｍｍ程度のものしか得られず、例えばこれを１０ｍｍ程度の厚さに成形することは困難であった。また、このブロー成形では、部分的に肉厚を厚くした容器を成形することは困難であった。
【０００３】
一方、インサート成形によって、内外二重の容器を成形し、５ｍｍを超える肉厚のポリエステル樹脂製容器を得ることも行われているが、この場合には、ポリエステル樹脂の成型時の収縮により接合面、例えば段部で接合する外側上端部分の接合面が分離し易く、分離状態になると亀裂が生じたように視認され、不良品扱いになるという事態を生じている。そして、この成型時の収縮による影響は、他の樹脂の場合にも現れるが、特にポリエステル樹脂の場合に顕著である。
【０００４】
このため、肉厚が比較的厚く、視覚的に高級感を与える、化粧料用のビン容器は、ガラス製のものが一般的である。
【特許文献１】特開平９−２１５５２１号公報
【発明の開示】
【発明が解決しようとする課題】
【０００５】
ところが、上記ガラス製のビン容器は、成形時に容器内面に凹凸や歪みが生じ易く、各ビン容器を同一容積とすることが難しかった。そして、このように容積が異なる化粧料用のビン容器では、充填装置を使用して各容器に同量の化粧料を充填しても、その上面位置が一定とならず、容器が透視可能であると、上面位置が低い容器の収容量は、他の容器の収容量よりも少なく見えてしまう。このため従来は、ビン容器内の上面位置が一定位置に達するまで、手作業によって前記ビン容器内に化粧料を補充している。しかし、この化粧料の手作業による補充作業は、手間がかかるうえ、化粧料が高価な場合には、余分な材料費がかかって不経済であるという問題があった。
【０００６】
本発明は、１０ｍｍ程度の比較的厚い肉厚を有し、視覚的に高級感を与えるとともに、容積が一定で、容器内に一定量の内容物を充填すると、常に上面位置が一定となるポリエステル樹脂製のビン容器を提供することを目的とする。
【課題を解決するための手段】
【０００７】
上記目的を達成するために、本発明の請求項１に係る樹脂製ビン容器は、ポリエステル樹脂製ビン容器であって、内側パーツと外側パーツとを一体化してなり、前記内側パーツの外周面には環状溝を設け、前記外側パーツの上端縁を前記環状溝に突入してなるものである。
【０００８】
同じく上記目的を達成するために、本発明の請求項２に係る樹脂製ビン容器は、上記請求項１の構成において、内側パーツの環状溝は、前記内側パーツの外周面に設けた雄ねじ部の下に形成した段部に連続するよう設ける一方、外側パーツの上端縁に、前記環状溝に突入する環状突縁を設けたものである。
【発明の効果】
【０００９】
本発明の樹脂製ビン容器によれば、内側パーツの環状溝に外側パーツの上端縁が突入して緊密に係合するので、成型時の収縮による歪みが生じることがなく、したがって、内側パーツと外側パーツとの接合面が離反することによる、あたかも亀裂が生じたかのように視認される状態を避けることができ、また、従来のガラス製ビン容器のように容積にばらつきがでないうえ、着色も容易であるという効果を奏する。
【発明を実施するための最良の形態】
【００１０】
以下、本発明の好適な実施形態を添付図面に基づいて説明する。ここにおいて、図１は樹脂製ビン容器の部分縦断面図、図２はその部分拡大図である。
【００１１】
図１に示すように、ポリエステル樹脂製のビン容器１は、内側パーツ２と、この内側パーツ２の下部に一体化した外側パーツ３とからなる。図では明らかでないが、前記両パーツ２，３の平面形状は円形状である。また、前記内側パーツ２の上部の外周面には、雌ねじ部を内周面に有する蓋体（図示せず）でビン容器１の開放上面を閉鎖するために、前記雌ねじ部と螺合する雄ねじ部４を設けている。
【００１２】
図１及び図２に示すように、内側パーツ２の外周面における雄ねじ部４の下には、段部５を形成し、この段部５に連続するよう環状溝６を形成している。そして、前記環状溝６に、外側パーツ３の上端縁内側に設けた環状突縁７を突入し、両者６，７を緊密に係合している。なお、前記環状溝６は、一体化した後は肉眼では、外観上識別することが困難である。
【００１３】
このように構成したビン容器１は、外側パーツ３の環状突縁７が内側パーツ２の段部５に連続する環状溝６に密接状態で嵌合しているので、環状突縁７を上下から挟んだ状態となり、ポリエステル樹脂の成型時に収縮による歪みが生じるのを防止して密着性を高め、内側パーツ２と外側パーツ３上端部の接合面における離反をなくし、両パーツ２，３を確実に一体化する。
【００１４】
なお、ビン容器１の製造は、公知のインサート成形機を用いて行うことができ、肉厚が５ｍｍを超え、１０ｍｍ程度のポリエステル樹脂製ビン容器１を容易に得られる。
【００１５】
また、本発明は、上述の実施形態に限定されず、例えばビン容器１の形状は図示のものに限らず、外側パーツ３の平面輪郭形状が多角形状でもよいものである。さらに、内側パーツ２の開放上面を閉鎖する蓋体がねじ部で螺合する構成でない場合には、内側パーツ２の雄ねじ部４は不要になるとともに、内側パーツ２の平面形状は蓋体に適合する形状となり、多角形状に形成することもできる。
【図面の簡単な説明】
【００１６】
【図１】樹脂製ビン容器の部分縦断面図。
【図２】図１の部分拡大図。
【符号の説明】
【００１７】
１      ビン容器
２      内側パーツ
３      外側パーツ
４      雄ねじ部
５      段部
６      環状溝
７      環状突縁
【図１】
2006082864.tif 000003
【図２】
2006082864.tif 000004
(57)【要約】      （修正有）【課題】窓ガラスの適所に接着剤を用いて容易に貼り付けることが出来て装飾上役立つと共に、ハンマー等で叩いても簡単には突き破ることが出来無いようにして、高い防犯効果が得られるようにする。【解決手段】適宜形状に成形した透明または半透明のガラス板２の裏面全体に、所定厚さの透明な合成樹脂製フィルム３を、耐候性、耐変色性を有する透明接着剤４により貼着し一体化してなる補強フィルム付き装飾ガラス体。前記ガラス板２の表面を、その中心部から端部に向かって緩やかに傾斜させておく場合もある。該装飾ガラス体を窓ガラスの外側表面の適所、例えばロック錠を取付ける位置の周辺外側等に、耐候性を有する接着剤を用いて貼着しておく。【選択図】図２
2006082348.tif 000002
【特許請求の範囲】
【請求項１】
適宜形状に成形した透明または半透明のガラス板の裏面全体に、所定厚さの透明な合成樹脂製フィルムを、耐候性、耐変色性を有する透明接着剤により貼着して一体化してあることを特徴とする補強フィルム付き装飾ガラス体。
【請求項２】
前記ガラス板の表面を、その中心部から周縁部に向かって緩やかに傾斜させてある事を特徴とする請求項１記載の補強フィルム付き装飾ガラス体。
【発明の詳細な説明】
【技術分野】
【０００１】
本発明は、窓ガラスに貼り付けて装飾用、防犯用等に使用する装飾ガラス体に関する。
【背景技術】
【０００２】
従来、主として欧州において、窓ガラスの外側表面に、装飾目的で、或いは窓ガラスの強度を増す目的で、ビベルという多角形状に成形したガラス装飾体を貼り付ける事が行われている。このガラス体を貼り付けることにより通常のガラスに比べて厚みが増すので、窓ガラスの強度は確かに増すが、ねじ回し、ハンマー等を使って強打すれば容易に割れてしまうので、防犯上は余り役立なかった。
【０００３】
また、窓ガラスを補強するための種々の防犯シートが存在するが、どれも性能は余り変わらず、違いがあるとすればその厚みによるところが多い。これらの防犯シートは、窓ガラスの内側全体に貼り付けるか、ロック錠の位置するガラス面に部分的に貼り付けて使用されているが、何れの場合も、ねじ回し、ハンマーなどで短時間に容易に突き破る事が出来るため、犯人の侵入を簡単に許してしまう難点がある。
【特許文献１】特開２００３−２０８２６号
【発明の開示】
【発明が解決しようとする課題】
【０００４】
本発明は、上記従来の難点に鑑み、窓ガラスの適所に接着剤を用いて容易に貼り付けることが出来て装飾上役立つと共に、ハンマー等で叩いても簡単には突き破ることが出来ないようにして、高い防犯効果が得られるようにした、補強フィルム付き装飾ガラス体を提供しようとするものである。
【課題を解決するための手段】
【０００５】
上記目的を達成するために、本発明においては、適宜形状に成形した透明または半透明のガラス板の裏面全体に、所定厚さの透明な合成樹脂製フィルムを、耐候性、耐変色性を有する透明接着剤により貼着し一体化してある。
また、前記ガラス板の表面を、その中心部から周縁部に向かって緩やかに傾斜させておく場合もある。
【発明の効果】
【０００６】
本発明に係る装飾ガラス体を窓ガラスの外側表面の適所に所要数貼り付けておくと、優れた装飾的効果が得られる。又、貼り付けた部分のガラスの強度が著しく高くなるので、ねじ回し、ハンマーなどでは容易に突き破ることができない。従って、破壊するには相当の力と時間を要するため、周囲の人々に気づかれる危険性が増し、充分な防犯効果が得られる。
叉、請求項２のように、ガラス表面をその中心部から周縁部に向かって傾斜させておけば、表面に加わる力が一個所に集中し難く分散されるため、一層割れにくくなる利点がある。
叉、取り扱い時に誤って落として壊したような場合でも、補強フィルムを一体に張ってあるため、割れたガラスが飛び散ることが無く安全である。
【実施例１】
【０００７】
以下、添付図面に従って本発明の一実施例を説明する。
図１及び図２において、１は補強フィルム付き装飾ガラス体を示しており、四辺形状に成形した透明ガラス板２の裏面全体には、厚さ約２００ミクロン程度の透明な合成樹脂製の補強フィルム３を、約１ミクロンの厚さの透明接着剤層４を介して貼着し一体化してある。
【０００８】
上記透明ガラス板２は、その中央部を５ｍｍ、端部を３ｍｍ程度の厚さに形成すると共に、中央部から周縁部に向かって徐々に薄くなるようにして、表面を緩やかに傾斜させてある。なお、上記透明ガラス板２は、窓ガラス等の貼る個所に応じて色々な大きさや形状に形成することができる。
【０００９】
また、前記合成樹脂製の補強フィルム３には、強靭性、透明性、及び耐候性等の特性が要求されるが、ポリエステル製のフィルムが最適である。厚さは強度の点で１００〜５００ミクロン程度が最適である。
【００１０】
また、上記接着剤層４に使用する接着剤としては、耐候性及び耐変色性を備えたパーマネントタイプの接着剤が適用される。なお、接着剤層４は、接着時に形成する事も出来るが、予め補強フィルム３の片面に直接塗着し、剥離紙を被着しておいてもよい。
【００１１】
而して、図３及び図４に示すように、本発明に係る装飾ガラス体１を、窓ガラス１０の外側表面の適所、例えばロック錠１１を取付ける位置の周辺部外側等に、耐候性を有する接着剤１２を用いて貼着しておく。
このようにしておけば、窓ガラス１０の貼着部の破壊圧力に対する強度を、約５〜１０倍程度高める事が出来るため、かなりの力で強打しても破壊されない。
なお、窓ガラス１０の装飾ガラス体１の貼着部の内側面に、必要に応じて市販されている防犯フィルム１３を貼りつけておくことも可能であって、このようにしておけば、ガラスの強度を更に高めることができる。
【図面の簡単な説明】
【００１２】
【図１】装飾ガラス体の斜視図である。
【図２】図１におけるＡーＡ線断面図である。
【図３】装飾ガラス体を窓ガラスの適所に貼り付けた状態を示す断面図である。
【図４】装飾ガラス体を貼着させたガラス窓の正面図である。
【符号の説明】
【００１３】
１  装飾ガラス体
２  ガラス板
３  補強フィルム
４  接着剤層
【図１】
2006082348.tif 000003
【図２】
2006082348.tif 000004
【図３】
2006082348.tif 000005
【図４】
2006082348.tif 000006